(57)【特許請求の範囲】
【請求項１】
１つまたは複数のＲＳＳフィードの提供元の表示名を表示する表示手段と、
前記表示手段に表示させるＲＳＳフィードの提供元の表示名を、前記表示手段に優先表示させるためのユーザ操作に関する条件としての画像処理装置の設置場所を付してユーザ毎にサーバに登録可能な登録手段と、
前記表示手段に表示された表示名が指定されることにより、表示名に対応するＲＳＳフィードの提供元にネットワークを介してアクセスして、ＲＳＳフィードを取得する取得手段と、
前記表示手段へ表示名を表示させる際に、ユーザによって、前記条件に合致する、前記登録された表示名を優先表示させる設置場所での自装置の操作が行われた場合には、前記条件が付されて登録された表示名を、前記表示手段に優先的に表示させる表示制御手段と、
を備えたことを特徴とする画像処理装置。
【請求項２】
前記表示名の優先表示は、複数の表示名の表示順を替えることによって行われる請求項１に記載の画像処理装置。
【請求項３】
前記登録手段は、アクセスを禁止するＲＳＳフィードの提供元の表示名を登録可能である請求項１または２に記載の画像処理装置。
【請求項４】
アクセスを禁止する表示名の登録は、アクセス禁止の対象となるユーザ操作に関する条件を付して行われる請求項３に記載の画像処理装置。
【請求項５】
前記条件は、ユーザ操作の時刻に関するものである請求項４に記載の画像処理装置。
【請求項６】
前記条件は、ユーザが操作する画像処理装置の設置場所に関するものである請求項４または５に記載の画像処理装置。
【請求項７】
１つまたは複数のＲＳＳフィードの提供元の表示名を表示手段に表示するステップと、
前記表示手段に表示させるＲＳＳフィードの提供元の表示名を、前記表示手段に優先表示させるためのユーザ操作に関する条件としての画像処理装置の設置場所を付してユーザ毎にサーバに登録するステップと、
前記表示手段に表示された表示名が指定されることにより、表示名に対応するＲＳＳフィードの提供元にネットワークを介してアクセスして、ＲＳＳフィードを取得するステップと、
前記表示手段へ表示名を表示させる際に、ユーザによって、前記条件に合致する、前記登録された表示名を優先表示させる設置場所での自装置の操作が行われた場合には、前記条件が付されて登録された表示名を、前記表示手段に優先的に表示させるステップと、
を含むことを特徴とする情報表示制御方法。
【請求項８】
１つまたは複数のＲＳＳフィードの提供元の表示名を表示手段に表示するステップと、
前記表示手段に表示させるＲＳＳフィードの提供元の表示名を、前記表示手段に優先表示させるためのユーザ操作に関する条件としての画像処理装置の設置場所を付してユーザ毎にサーバに登録するステップと、
前記表示手段に表示された表示名が指定されることにより、表示名に対応するＲＳＳフィードの提供元にネットワークを介してアクセスして、ＲＳＳフィードを取得するステップと、
前記表示手段へ表示名を表示させる際に、ユーザによって、前記条件に合致する、前記登録された表示名を優先表示させる設置場所での自装置の操作が行われた場合には、前記条件が付されて登録された表示名を、前記表示手段に優先的に表示させるステップと、
を、画像処理装置のコンピュータに実行させるための情報表示制御プログラム。
【発明の詳細な説明】
【技術分野】
【０００１】
この発明は、例えばＭＦＰ（Multi Function Periferals)その他の画像形成装置等に用いられる画像処理装置、ＲＳＳ（Rich Site Summary またはRDF Site Summary）フィード情報の提供元の表示名を表示手段に表示させる際の情報表示制御方法、及びこの情報表示制御方法を画像処理装置のコンピュータに実行させるための情報表示制御プログラムに関する。
【背景技術】
【０００２】
インターネット等のネットワークに接続され、このネットワークを介してウェブサイトからＲＳＳ形式のデータであるＲＳＳフィードを取得可能となされた画像処理装置が知られている。
【０００３】
このような画像処理装置では、ＲＳＳフィードの提供元の表示名を複数登録しておき、ＲＳＳフィードの取得時には、前記登録した表示名を表示部に表示させるとともに、表示された表示名の中から所定のものを指定することにより、表示名で示されたＲＳＳフィードの提供元のウェブサイトにアクセスして、ＲＳＳフィードを取得する構成となされている。
【０００４】
なお、特許文献１には、ＲＳＳ出力のＵＲＬ情報をまとめて一元管理でき、ＲＳＳリーダでの利用や管理を簡単にできるようにしたネットワーク通信装置が提案されている。
【特許文献１】特開２００６−２４６２６１号公報
【発明の開示】
【発明が解決しようとする課題】
【０００５】
ところで、ユーザは、例えば朝は総合ニュース、昼は業務関連、夜はスポーツ、といったように、時間帯によって取得したいＲＳＳフィードが異なる傾向にある。また、普段常駐するオフィスと出張先とで、取得したいＲＳＳフィードが異なることもある。
【０００６】
異なるＲＳＳフィードを取得するためには、異なるＲＳＳフィードの提供元へアクセスする必要があり、従って異なる表示名を指定する必要がある。
【０００７】
しかるに、従来では、登録された表示名の表示部への表示順は、例えば登録順やアルファベット順等の一定の順序に固定されており、このため表示名の指定の都度、ユーザは、目的の表示名にたどり着くまで、表示リストの先頭からリストをスクロールしたり表示画面を切り替える操作を強いられており、操作上不便であった。
【０００８】
なお、前記特許文献１に記載された技術は、ＲＳＳフィードの管理技術であり、表示名の表示に関する前記問題を解決しうるものはなかった。
【０００９】
この発明は、このような技術的背景に鑑みてなされたものであって、例えば時間帯や場所等に応じて、アクセスするＲＳＳフィードの提供先が異なっても、その都度ユーザは目的の提供元を示す表示名を簡単に見つけることができ、操作性を向上した画像処理装置、情報表示制御方法及び情報表示制御プログラムを提供することを課題とする。
【課題を解決するための手段】
【００１０】
上記課題は、以下の手段によって解決される。
（１）１つまたは複数のＲＳＳフィードの提供元の表示名を表示する表示手段と、前記表示手段に表示させるＲＳＳフィードの提供元の表示名を、前記表示手段に優先表示させるためのユーザ操作に関する条件としての画像処理装置の設置場所を付してユーザ毎にサーバに登録可能な登録手段と、前記表示手段に表示された表示名が指定されることにより、表示名に対応するＲＳＳフィードの提供元にネットワークを介してアクセスして、ＲＳＳフィードを取得する取得手段と、前記表示手段へ表示名を表示させる際に、ユーザによって、前記条件に合致する、前記登録された表示名を優先表示させる設置場所での自装置の操作が行われた場合には、前記条件が付されて登録された表示名を、前記表示手段に優先的に表示させる表示制御手段と、を備えたことを特徴とする画像処理装置。
（２）前記表示名の優先表示は、複数の表示名の表示順を替えることによって行われる前項１に記載の画像処理装置。
（３）前記登録手段は、アクセスを禁止するＲＳＳフィードの提供元の表示名を登録可能である前項１または２に記載の画像処理装置。
（４）アクセスを禁止する表示名の登録は、アクセス禁止の対象となるユーザ操作に関する条件を付して行われる前求項３に記載の画像処理装置。
（５）前記条件は、ユーザ操作の時刻に関するものである前項４に記載の画像処理装置。
（６）前記条件は、ユーザが操作する画像処理装置の設置場所に関するものである前項４または５に記載の画像処理装置。
（７）１つまたは複数のＲＳＳフィードの提供元の表示名を表示手段に表示するステップと、前記表示手段に表示させるＲＳＳフィードの提供元の表示名を、前記表示手段に優先表示させるためのユーザ操作に関する条件としての画像処理装置の設置場所を付してユーザ毎にサーバに登録するステップと、前記表示手段に表示された表示名が指定されることにより、表示名に対応するＲＳＳフィードの提供元にネットワークを介してアクセスして、ＲＳＳフィードを取得するステップと、前記表示手段へ表示名を表示させる際に、ユーザによって、前記条件に合致する、前記登録された表示名を優先表示させる設置場所での自装置の操作が行われた場合には、前記条件が付されて登録された表示名を、前記表示手段に優先的に表示させるステップと、を含むことを特徴とする情報表示制御方法。
（８）１つまたは複数のＲＳＳフィードの提供元の表示名を表示手段に表示するステップと、前記表示手段に表示させるＲＳＳフィードの提供元の表示名を、前記表示手段に優先表示させるためのユーザ操作に関する条件としての画像処理装置の設置場所を付してユーザ毎にサーバに登録するステップと、前記表示手段に表示された表示名が指定されることにより、表示名に対応するＲＳＳフィードの提供元にネットワークを介してアクセスして、ＲＳＳフィードを取得するステップと、前記表示手段へ表示名を表示させる際に、ユーザによって、前記条件に合致する、前記登録された表示名を優先表示させる設置場所での自装置の操作が行われた場合には、前記条件が付されて登録された表示名を、前記表示手段に優先的に表示させるステップと、を、画像処理装置のコンピュータに実行させるための情報表示制御プログラム。
【発明の効果】
【００１１】
前項（１）に記載の発明によれば、表示手段に表示させるＲＳＳフィードの提供元の表示名が、表示手段に優先表示させるためのユーザ操作に関する条件としての画像処理装置の設置場所を付してサーバに登録される。そして、表示手段へＲＳＳフィードの提供元の表示名を表示させる際に、ユーザによって、前記条件に合致する、前記登録された表示名を優先表示させる設置場所での自装置の操作が行われた場合には、前記条件が付されて登録された表示名が表示手段に優先的に表示される。従って、ユーザは、操作に関する条件としての画像処理装置の設置場所を付してサーバに登録しておき、その条件に合致する、前記登録された表示名を優先表示させる設置場所での自装置の操作を行えば、登録された表示名が常に優先的に表示されるから、表示名の表示リストをスクロールしたり表示画面を切り替える手間を要することなく、目的の表示名を簡単に見つけることができ、ＲＳＳフィードの提供元へ効率的にアクセスすることができる。
【００１４】
前項（２）に記載の発明によれば、複数の表示名の表示順を替えることによって、登録された表示名を優先的に表示させることができる。
【００１５】
前項（３）に記載の発明によれば、アクセスを禁止するＲＳＳフィードの提供元の表示名を登録可能であるから、管理者等は、所定のＲＳＳフィードの提供先へのアクセスを禁止することができる。
【００１６】
前項（４）に記載の発明によれば、ユーザ操作に応じて、ＲＳＳフィードの提供元へのアクセスを禁止しあるいは許可することができる。
【００１７】
前項（５）に記載の発明によれば、管理者等は、ユーザ操作の時間帯に応じて所定のＲＳＳフィード提供元へのアクセスを禁止することができる。
【００１８】
前項（６）に記載の発明によれば、管理者等は、ユーザが操作する画像形成装置の設置場所に応じて、所定のＲＳＳフィードの提供元へのアクセスを禁止することができる。
【００１９】
前項（７）に記載の発明によれば、ユーザは、操作に関する条件としての画像処理装置の設置場所を付してサーバに表示名を登録しておき、その条件に合致する、前記登録された表示名を優先表示させる設置場所での自装置の操作を行えば、登録された表示名が常に優先的に表示されるから、表示名の表示リストをスクロールしたり表示画面を切り替える手間を要することなく、目的の表示名を簡単に見つけることができ、ＲＳＳフィードの提供元へ効率的にアクセスすることができる。
【００２０】
前項（８）に記載の発明によれば、１つまたは複数のＲＳＳフィードの提供元の表示名を表示手段へ表示するステップ、ユーザ操作に関する条件としての画像処理装置の設置場所を付してサーバに表示名を登録するステップ、ＲＳＳフィードの提供元へアクセスしてＲＳＳフィードを取得するステップ、ユーザによって前記条件に合致する、前記登録された表示名を優先表示させる設置場所での自装置の操作が行われた場合には、前記登録された表示名を表示手段に優先的に表示させるステップを、画像処理装置のコンピュータに実行させることができる。
【発明を実施するための最良の形態】
【００２１】
以下、この発明の一実施形態を図面に基づいて説明する。
【００２２】
図１は、この発明の一実施形態に係る画像処理装置としての画像形成装置が用いられた画像処理システムの概略構成図である。
【００２３】
図１に示すように、このシステムは複数（この例では３台）の画像形成装置１、２、３とサーバ４とがネットワーク５を介して相互に接続されてなる。
【００２４】
なお、各画像形成装置１〜３の構成は同じであるので、画像形成装置１についてのみ説明し、画像形成装置２、３についての説明は省略する。
【００２５】
画像形成装置１は、スキャナ部１１、プリンタ部１２，操作パネル部１３、記憶部１４、ネットワーク通信部１５、演算処理部１６などを備えている。
【００２６】
前記スキャナ部１１は、文書原稿等を所定の解像度で読み取り、所定の画像処理を施して電子データに変換するものあり、図示しない光源、プリズム、ＣＣＤ等の撮像素子を備えている。
【００２７】
前記プリンタ部１２は、印刷ジョブ等の電子データを実際に紙面に出力するものであり、例えば、電子写真、インクジェット、熱転写等の機構によって印刷が実現される。
【００２８】
操作パネル部１３は、ユーザが各種の情報や指示を入力したり、画像形成装置のモードやメッセージ等を表示するものであり、図２に示すように、液晶タッチパネル等からなる表示部１３１と、テンキーやスタートキー等を備えたキー入力部１３２を有している。この操作パネル部１３を介して、ユーザは、ＲＳＳフィードの提供元へアクセスするための表示名や、提供元の具体的なＵＲＬ（Uniform Resource Locator）、さらには表示名を優先表示させるためのユーザ操作に関する条件等を入力できるようになっている。
【００２９】
記憶部１４は、画像形成装置の各種データやプログラムを記憶するものであり、例えばハードディスク（ＨＤＤ）や不揮発性のメモリ等が用いられている。
【００３０】
ネットワーク通信部１５は、ネットワーク５に接続され、同じくネットワーク５上に接続された他の画像形成装置やサーバ４との間で通信を行うためのものであり、ネットワーク・インターフェース・カード（ＮＩＣ）などによって構成されている。
【００３１】
なお、ネットワーク５は、ローカルエリアネットワーク（ＬＡＮ）等であり、１０／１００Ｂａｓｅ−Ｔや１０００ＢａｓｅＴ等のインターフェースを用いて実現される。
【００３２】
演算処理部１５は、装置全体の制御処理を実行するものであり、マイクロプロセッサ（ＣＰＵ）やＲＯＭやＲＡＭ等を備えている。制御の一例としては、スキャナ部１１やプリンタ部１２等に対する通常の読み取り制御や印字制御の他、この例では、次のような制御を行う。即ち、ユーザが操作パネル部１３から、ＲＳＳフィードの提供元の表示名、ＵＲＬ、ユーザ操作に関する条件を入力すると、演算処理部１５は、これらの表示名、ＵＲＬ、条件を関連付けてサーバ４に登録する。
【００３３】
ここで、ユーザ操作に関する条件は、ユーザがＲＳＳフィードを取得するために、操作パネル部１３の入力表示部１３１に表示名を表示させる際に、優先的に表示させる表示名を指定するためのための条件である。具体的には、限定はされないが、表示名を表示させる操作をユーザが行うときの時刻や、表示名を表示させる操作を行う画像形成装置の設置場所等がある。このような条件を表示名に付加して登録しておくことにより、後述するように、ユーザは時間帯に応じてあるいは画像形成装置の設置場所に応じて、所定の表示名を優先的に表示させることが可能となる。
【００３４】
さらに、演算処理部１５は、管理者等の指示に基づいて、アクセスを禁止するＲＳＳフィードの提供元の表示名を、サーバ４に登録することも可能である。
【００３５】
このような演算処理部１５によって実行される動作については後述する。
【００３６】
前記サーバ４は、パーソナルコンピュータ等から構成されており、ユーザ用データベース４１とアクセス不可登録用データベース４２とを備えている。
【００３７】
前記ユーザ用データベース４１は、画像形成装置１〜３からの指示に基づいて、ユーザ毎に、前述した１個または複数個の表示名及びそれらのＵＲＬと、各表示名に関連付けられたユーザ操作に関する条件を登録するものである。
【００３８】
前記アクセス不可登録用データベース４２は、画像形成装置１〜３からの指示に基づいて、アクセスを禁止するＲＳＳフィードの提供元の表示名及びＵＲＬを登録し、さらに必要に応じて、表示名に関連付けてアクセス禁止の対象となるユーザ操作に関する条件を登録するものである。
【００３９】
図２は、画像形成装置１における操作パネル１３の表示部１３１に表示された、ＲＳＳフィードの提供元の表示名、そのＵＲＬ、ユーザ操作に関する条件を登録するための入力画面を示すものである。
【００４０】
この画面では、ユーザ名表示欄１３１ａ、ＲＳＳフィードの提供元の表示名入力欄１３１ｂ、ＵＲＬ入力欄１３１ｃ、ユーザ操作に関する条件（図では「優先表示カテゴリ」と記している）を選択するための条件選択ボタン１３１ｄ〜１３１ｆが表示されている。条件選択ボタンとして、図３の例では、「条件なし」ボタン１３１ｄ、「時間帯」ボタン１３１ｅ、「場所」ボタン１３１ｆが設けられており、この例では「時間帯」ボタン１３１ｅが選択されていることが斜線で示されている。また、条件選択ボタンの下方には、「時間帯」ボタン１３１ｅの選択に対応して、具体的な時間帯を選択するための４個の時間帯選択ボタン１３１ｇ〜１３１Ｊが設けられている。ここでは、「〜１２：００」ボタン１３１ｇが選択されていることが示されている。
【００４１】
そして、「ＯＫ」ボタン１３１ｋが押下されると、入力内容が確定され、サーバ４のユーザ用データベース４１に登録される。
【００４２】
図２に示す例では、ユーザ操作に関する条件として「時間帯」が選択され、具体的な時間帯として「〜１２：００」が選択されており、従って、ユーザ「ｔａｋｅ」さんがＲＳＳフィードを取得する場合、午前１２までは表示名「Ａｓａｈｉ．ｃｏｍ」が表示名一覧リストの中で優先的に表示されることになる。なお、登録された条件は、画像形成装置１〜３の管理者の権限で変更できるようにしても良い。
【００４３】
表示名「Ａｓａｈｉ．ｃｏｍ」が優先的に表示された操作パネル部１３の表示画面を図３に示す。ユーザ「ｔａｋｅ」さんが、優先表示の条件として登録された時間帯である１０時３５分に、表示名を表示させるためのＲＳＳフィード取得モードを操作パネル部１３から指定すると、演算処理部１６はサーバ４のユーザ用データベース４１から、対応するユーザの登録内容を取得し、その内容に従ってＲＳＳフィードの表示名を表示する。
【００４４】
前述したように、午前１２までは表示名「Ａｓａｈｉ．ｃｏｍ」が優先的に表示される設定で登録されているから、登録済の複数の表示名からなるリストを、表示名「Ａｓａｈｉ．ｃｏｍ」が最上位となるように並び替えて、表示されている。なお、表示名「Ａｓａｈｉ．ｃｏｍ」以外の表示名については、通常と同じく登録順あるいはアルファベット順等の順序で表示されている。
【００４５】
ユーザが表示名「Ａｓａｈｉ．ｃｏｍ」のボタンを押下すると、画像形成装置１は「Ａｓａｈｉ．ｃｏｍ」で示されるＲＳＳフィードの提供先のウェブサイトにアクセスし、ＲＳＳフィードを取得する。
【００４６】
このように、ユーザが設定した表示名が最上位位置に優先表示されるので、ユーザは目的の表示名を簡単に見つけることができ、表示リストの先頭からリストをスクロールしたり表示画面を切り替える操作は不要となる。
【００４７】
図４は、図２と同じく、ＲＳＳフィードの提供元の表示名、そのＵＲＬ及びユーザ操作に関する条件を登録するための入力画面を示すものであるが、条件選択ボタンとして「場所」ボタン１３１ｆが選択された例を示すものである。
【００４８】
「場所」ボタン１３１ｆが選択されると、条件選択ボタンの下方に、画像形成装置の具体的な設置場所を選択するための２個の場所選択ボタン１３１ｍ、１３１ｎが表示される。この例では、ユーザの常駐場所（ホーム）に設置されている画像形成装置を操作してＲＳＳフィードを取得する場合に、表示名入力欄１３１ｂに入力された表示名を優先的に表示させる「ホームＭＦＰ優先」ボタン１３１ｍと、出張先等の常駐場所以外の場所に設置されている画像形成装置からＲＳＳフィードを取得する場合に優先的に表示させる「アウェイＭＦＰ優先」ボタン１３１ｎが設けられており、「アウェイＭＦＰ優先」１３１ｎが選択されていることが示されている。
【００４９】
つまり、ユーザの常駐場所（ホーム）以外に設置されている画像形成装置を操作してＲＳＳフィードを取得する場合、表示名「ＮＢＯｎｌｉｎｅ」が優先的に表示されることになる。
【００５０】
「ＯＫ」ボタン１３１ｋが押下されると、入力内容が確定され、サーバ４のユーザ用データベース４１に登録される。
【００５１】
表示名「ＮＢＯｎｌｉｎｅ」が優先的に表示された操作パネル部１３の表示画面を図５に示す。
【００５２】
ユーザ「ｔａｋｅ」さんが、ユーザの常駐場所以外の例えば出張先に設置されている画像形成装置１から、ＲＳＳフィードを取得するための操作を行うと、演算処理部１６はサーバ４から対応するユーザの登録内容を取得し、その内容に従ってＲＳＳフィードの表示名を表示する。
【００５３】
前述したように、常駐場所以外に設置されている画像形成装置からＲＳＳフィードを取得する場合、表示名「ＮＢＯｎｌｉｎｅ」が優先的に表示される設定で登録されているから、登録されている複数の表示名のリストのうち、表示名「ＮＢＯｎｌｉｎｅ」が最上位となるように並び替えられて、表示されている。なお、表示名「ＮＢＯｎｌｉｎｅ」以外の表示名については、通常と同じく登録順あるいはアルファベット順等の順序で表示されている。
【００５４】
この場合も、ユーザが設定した表示名が最上位位置に優先表示されるので、ユーザは目的の表示名を簡単に見つけることができ、表示リストの先頭からリストをスクロールしたり表示画面を切り替える操作は不要となる。
【００５５】
なお、ユーザが表示名「ＮＢＯｎｌｉｎｅ」のボタンを押下すると、画像形成装置１は「ＮＢＯｎｌｉｎｅ」で示されるＲＳＳフィードの提供元のウェブサイトにアクセスし、ＲＳＳフィードを取得する。
【００５６】
さらにこの実施形態では、管理者等が、アクセス禁止の対象となるユーザ操作に関する条件を付して、アクセスを禁止するＲＳＳフィードの提供元の表示名を登録可能となされている。このような登録を行う場合の操作パネル部１３の入力画面を図６に示す。
【００５７】
この画面では、「管理者モードを実行中です」のメッセージ１３１ｐと共に、ＲＳＳフィードの提供元の表示名入力欄１３１ｂ、ＵＲＬ入力欄１３１ｃ、ユーザ操作に関する条件（図では「非表示カテゴリ」と記している）を選択するための条件選択ボタン１３１ｄ〜１３１ｆが表示されている。条件選択ボタンとして、図５の例では、「常時」ボタン１３１ｄ、「時間帯」ボタン１３１ｅ、「場所」ボタン１３１ｆが設けられており、今、「時間帯」ボタン１３１ｅが選択されていることが斜線で示されている。また、条件選択ボタンの下方には、「時間帯」ボタン１３１ｅの選択に対応して、具体的な時間帯を選択するための４個の時間帯選択ボタン１３１ｇ〜１３１ｊが設けられている。ここでは、「〜１２：００」ボタン１３１ｇと「１３：００〜１７：００」ボタン１３１ｉが選択されていることが示されている。
【００５８】
そして、「ＯＫ」ボタン１３１ｋが押下されると、入力内容が確定され、サーバ４のアクセス不可登録用データベース４２に登録される。なお、アクセス不可（禁止）登録はこの実施形態では全ユーザに対して適用されるが、ユーザを指定して適用できるようにしても良い。
【００５９】
図６に示す例では、条件として「時間帯」が選択され、具体的な時間帯として「〜１２：００」、「１３：００〜１７：００」が選択されており、従って、選択された時間帯には、ユーザは表示名「Ａｓａｈｉ．ｃｏｍ」のＲＳＳフィード提供元にアクセスできないことになる。逆に．１２：００〜１３：００の昼休みの時間帯であれば、ユーザはアクセスできることになる。
【００６０】
このようなアクセス禁止設定がなされている状態で、ＲＳＳフィードを取得するための操作が行われたときの操作パネル部１３の表示画面を図７に示す。
【００６１】
ユーザ「ｔａｋｅ」さんがアクセス禁止設定の時間帯である１０時３５分に、表示名を表示させるためのＲＳＳフィード取得モードを操作パネル部１３から指定すると、演算処理部はサーバ４から対応するユーザの登録内容、及びアクセス不可設定の登録内容を取得し、その内容に従ってＲＳＳフィードの表示名を表示する。
【００６２】
ユーザ「ｔａｋｅ」さんについて、図２で説明したような設定が登録されている場合には、図３に示したように、表示名「Ａｓａｈｉ．ｃｏｍ」が最上位となる一覧リストが表示されるが、表示名「Ａｓａｈｉ．ｃｏｍ」についてはアクセス禁止時間帯であるから、図７では表示名「Ａｓａｈｉ．ｃｏｍ」についてはグレーアウトの状態（図面では斜線で示す）で表示されるとともに、アクセス不可が設定されていることを示すアイコン「Ｘ」１３１ｑが表示されている。この場合、「Ａｓａｈｉ．ｃｏｍ」のボタンを押下しても、対応するＲＳＳフィードの提供元へ接続されることはない。
【００６３】
なお、図６及び図７の例では、条件として「時間帯」を選択した場合を示したが、「場所」ボタン１３１ｆを選択して、ユーザの常駐場所に設置されている画像形成装置や、常駐場所以外に設置されている画像形成装置からのアクセスを禁止することもできる。
【００６４】
また、「常時」ボタン１３１ｄを選択することにより、常時アクセスを禁止することもできる。
【００６５】
次に、画像形成装置１の動作を、図８のフローチャートを参照して説明する。この動作は、画像処理装置１〜３の演算処理部１６のＣＰＵが、ＲＯＭ等の記憶媒体に記憶されているプログラムに従って動作することにより実行される。
【００６６】
ユーザがＲＳＳフィードを取得するため、操作パネル部１３からＲＳＳフィードを取得モードを指定すると、ステップＳ１でこれを受け付け、ステップＳ２で、サーバ４に登録内容の取得要求をユーザ情報と共に送信する。
【００６７】
サーバ４は、前記取得要求を受けて、ユーザ用データベース４１から対応するユーザの登録内容を、アクセス不可登録用データベース４２からアクセス不可設定の登録内容を、それぞれ読み出して画像形成装置１に送信する。
【００６８】
画像形成装置１は、ステップＳ３で、サーバ４から送信されてきた対応ユーザに関する登録内容を取得し、ステップＳ４でアクセス不可設定の登録内容を取得する。
【００６９】
次いで、ステップＳ５で、ユーザが登録しているＲＳＳフィード取得先の表示名の一覧リストを、ユーザ操作に関する条件に従って並び替えたのち、ステップＳ６で、一覧リストとアクセス不可設定の登録内容とを比較し、一覧リスト内にアクセス不可設定がなされている表示名が存在しているかどうかを判断する。
【００７０】
存在していなければ（ステップＳ６でＮＯ）、ステップＳ７で、表示名の一覧リストをそのまま操作パネル部１３の表示部１３１へ表示する。一方、存在していれば（ステップＳ６でＹＥＳ）、ステップＳ７で、その表示名のＲＳＳフィード提供元へのアクセスの禁止を設定すると共に、その表示名の表示について他の表示名とは異なる態様を設定し、ステップＳ７で操作パネル部１３の表示部１３１へ表示する。
【００７１】
以上、本発明の一実施形態を説明したが、本発明は上記実施形態に限定されることはない。
【００７２】
例えば、ＲＳＳフィード提供元の表示名の優先表示の態様として、該当する表示名を一覧リストの最上位に表示する場合を示したが、他の目につきやすい位置に表示したり、色や大きさを変える等、他の表示名とは異なる態様で表示する構成としても良い。
【００７３】
また、ユーザ用データベース４１及びアクセス不可登録用データベース４２をサーバ４に設けた場合を示したが、画像形成装置１〜３が内部にユーザ用データベース及びアクセス不可登録用データベースを備えていても良い。
【図面の簡単な説明】
【００７４】
【図１】この発明の一実施形態に係る画像処理装置が用いられた画像処理システムを示すブロック図である。
【図２】ＲＳＳフィードの提供先の表示名及び条件等を登録するための操作パネル部の入力画面の一例である。
【図３】ＲＳＳフィードの取得に際して表示されるＲＳＳフィード提供先の表示名一覧リストの表示画面の一例である。
【図４】ＲＳＳフィードの提供先の表示名及び条件等を登録するための操作パネル部の入力画面の他の例である。
【図５】ＲＳＳフィードの取得に際して表示されるＲＳＳフィード提供先の表示名一覧リストの表示画面の他の例である。
【図６】ＲＳＳフィード提供先へのアクセス不可設定を入力するための入力画面の一例である。
【図７】ＲＳＳフィード提供先へのアクセス不可設定が登録されている状態で、ＲＳＳフィードの取得に際して表示されるＲＳＳフィード提供先の表示名一覧リストの表示画面の一例である。
【図８】画像形成装置の動作を説明するためのフローチャートである。
【符号の説明】
【００７５】
１〜３        画像形成装置（画像処理装置）
４            サーバ
４１          ユーザ用データベース
４２          アクセス不可登録用データベース
５            ネットワーク
１３          操作パネル部
１３１        表示部
１５          ネットワーク通信部
１６          演算処理部
【図１】
0005067069.tif 000002
【図２】
0005067069.tif 000003
【図３】
0005067069.tif 000004
【図４】
0005067069.tif 000005
【図５】
0005067069.tif 000006
【図６】
0005067069.tif 000007
【図７】
0005067069.tif 000008
【図８】
0005067069.tif 000009